(57)【要約】【課題】案内地図の画像出力において地域情報を簡易に挿入することができる。【解決手段】案内地図を印刷して出力するための案内地図出力装置は、出発地と目的地とを設定するための入力を受付け、受け付けられた入力に基づいて出発地から目的地までの案内経路を設定する案内経路設定部と、案内経路から予め設定された範囲内の特定の領域であるスポットに紐付けられている少なくとも１つの案内コメントを抽出する案内コメント抽出部と、スポットに関する動画を使用して、案内コメントの生成を支援するコメント生成支援部と、少なくとも１つの案内コメントをスポットに紐付けて、案内地図に挿入するコメント挿入部と、少なくとも１つの案内コメントが挿入された案内地図を印刷媒体に形成して出力する画像形成部とを備える。【選択図】図１
2018141836.tif 000002
【特許請求の範囲】
【請求項１】
案内地図を印刷して出力するための案内地図出力装置であって、
出発地と目的地とを設定するための入力を受付け、前記受け付けられた入力に基づいて前記出発地から前記目的地までの案内経路を設定する案内経路設定部と、
前記案内経路から予め設定された範囲内の特定の領域であるスポットに紐付けられている少なくとも１つの案内コメントを抽出する案内コメント抽出部と、
前記スポットに関する動画を使用して、前記案内コメントの生成を支援するコメント生成支援部と、
前記少なくとも１つの案内コメントを前記スポットに紐付けて、前記案内地図に挿入するコメント挿入部と、
前記少なくとも１つの案内コメントが挿入された案内地図を印刷媒体に形成して出力する画像形成部と、
を備える案内地図出力装置。
【請求項２】
請求項１に記載の案内地図出力装置であって、
前記案内コメントは、予め複数のカテゴリに分類され、
前記案内コメント抽出部は、前記複数のカテゴリの中の一部のカテゴリに含まれる前記案内コメントを優先的に前記抽出する案内地図出力装置。
【請求項３】
請求項２に記載の案内地図出力装置であって、
前記複数のカテゴリは、前記範囲内のサービス提供者が有料で登録した特定のカテゴリを含み、
前記案内コメント抽出部は、前記特定のカテゴリに含まれる前記案内コメントを優先的に前記抽出する案内地図出力装置。
【請求項４】
案内地図出力システムであって、
前記請求項１乃至３のいずれか１項に記載の案内地図出力装置と、
前記案内地図出力装置に無線で接続可能な携帯端末と、
を備える案内地図出力システム。
【請求項５】
案内地図を印刷して出力するための案内地図出力方法であって、
出発地と目的地とを設定するための入力を受付け、前記受け付けられた入力に基づいて前記出発地から前記目的地までの案内経路を設定する案内経路設定工程と、
前記案内経路から予め設定された範囲内の特定の領域であるスポットに紐付けられている少なくとも１つの案内コメントを抽出する案内コメント抽出工程と、
前記スポットに関する動画を使用して、前記案内コメントの生成を支援するコメント生成支援工程と、
前記少なくとも１つの案内コメントを前記スポットに紐付けて、前記案内地図に挿入するコメント挿入工程と、
前記少なくとも１つの案内コメントが挿入された案内地図を印刷媒体に形成して出力する画像形成工程と、
を備える案内地図出力方法。
【発明の詳細な説明】
【技術分野】
【０００１】
本発明は、案内地図出力装置、案内地図出力システム及び案内地図出力方法に関する。
【背景技術】
【０００２】
典型的な画像形成装置（たとえばプリンター、多機能プリンター、又は複合機（Ｍｕｌｔｉｆｕｎｃｔｉｏｎ  Ｐｅｒｉｐｈｅｒａｌ）を使用して目的地までの経路を示す案内地図を出力する方法が提案されている。たとえば特許文献１は、印刷済み地図に案内線を印刷して案内地図を出力する技術を提案している。これにより、印刷する内容を削減し、迅速な出力を実現している。
【先行技術文献】
【特許文献】
【０００３】
【特許文献１】特開平７−１９５８１８号公報
【発明の概要】
【発明が解決しようとする課題】
【０００４】
しかし、従来は、案内地図の作成において、ユーザーにとって有益な地域情報を自動的あるいは半自動的に挿入して生成する方法については十分な検討がなされていなかった。
【０００５】
本発明は、このような状況に鑑みてなされたものであり、案内地図の画像出力において地域情報を簡易に挿入する技術を提供することを目的とする。
【課題を解決するための手段】
【０００６】
本発明は、案内地図を印刷して出力するための案内地図出力装置を提供する。前記案内地図出力装置は、出発地と目的地とを設定するための入力を受付け、前記受け付けられた入力に基づいて前記出発地から前記目的地までの案内経路を設定する案内経路設定部と、前記案内経路から予め設定された範囲内の特定の領域であるスポットに紐付けられている少なくとも１つの案内コメントを抽出する案内コメント抽出部と、前記スポットに関する動画を使用して、前記案内コメントの生成を支援するコメント生成支援部と、前記少なくとも１つの案内コメントを前記スポットに紐付けて、前記案内地図に挿入するコメント挿入部と、前記少なくとも１つの案内コメントが挿入された案内地図を印刷媒体に形成して出力する画像形成部とを備える。
【０００７】
本発明は、案内地図出力システムを提供する。前記案内地図出力システムは、前記案内地図出力装置と、前記案内地図出力装置に無線で接続可能な携帯端末とを備える。
【０００８】
本発明は、案内地図を印刷して出力するための案内地図出力方法を提供する。前記案内地図出力方法は、出発地と目的地とを設定するための入力を受付け、前記受け付けられた入力に基づいて前記出発地から前記目的地までの案内経路を設定する案内経路設定工程と、前記案内経路から予め設定された範囲内の特定の領域であるスポットに紐付けられている少なくとも１つの案内コメントを抽出する案内コメント抽出工程と、前記スポットに関する動画を使用して、前記案内コメントの生成を支援するコメント生成支援工程と、前記少なくとも１つの案内コメントを前記スポットに紐付けて、前記案内地図に挿入するコメント挿入工程と、前記少なくとも１つの案内コメントが挿入された案内地図を印刷媒体に形成して出力する画像形成工程とを備える。
【発明の効果】
【０００９】
本発明によれば、案内地図の画像出力において地域情報を簡易に挿入することができる。
【図面の簡単な説明】
【００１０】
【図１】本発明の一実施形態に係る案内地図出力システム１０の機能構成を示すブロックダイアグラムである。
【図２】一実施形態に係る地図出力処理手順を示すフローチャートである。
【図３】一実施形態に係る地図出力処理におけるスマートフォン２００の操作表示部２３０を示す説明図である。
【図４】一実施形態に係る案内地図出力システム１０によって出力された案内地図の一例を示す説明図である。
【図５】一実施形態に係る地図データ準備処理手順を示すフローチャートである。
【発明を実施するための形態】
【００１１】
以下、本発明を実施するための形態（以下、「実施形態」という）を、図面を参照して説明する。
【００１２】
図１は、本発明の一実施形態に係る案内地図出力システム１０の機能構成を示すブロックダイアグラムである。案内地図出力システム１０は、駅やコンビニエンスストアといった外出先で利用される。案内地図出力システム１０は、案内地図出力装置１００と、スマートフォン２００と、ビーコン送信機３００とを備えている。案内地図出力装置１００は、画像形成装置の作動モードの１つとして構成されている。
【００１３】
案内地図出力装置１００には、広告代理店のパーソナルコンピュータ４００と、動画サイト等の動画データベース５００がインターネットＮ経由で接続されている。広告代理店は、各広告主から広告の代理を受注する。広告の代理には、案内地図出力装置１００によって出力される案内地図への広告の掲載が含まれている。パーソナルコンピュータ４００では、電子データとしての広告データが広告データ格納領域４１０に格納されている。各案内地図出力装置１００には、複数社の広告代理店のパーソナルコンピュータ（図示略）に接続されていてもよい。
【００１４】
案内地図出力装置１００は、画像形成装置としての基本構成を有し、制御部１１０と、画像形成部１２０と、操作表示部１３０と、記憶部１４０と、通信インターフェース部１５０とを備えている。画像形成部１２０は、原稿から画像を読み取って画像データを生成する画像読取部１２１と、印刷設定に従って画像データを処理する画像処理部１２２と、処理された画像データに基づいて印刷媒体上に画像を形成して出力する画像出力部１２３とを備えている。
【００１５】
スマートフォン２００は、制御部２１０と、操作表示部２３０と、記憶部２４０と、通信インターフェース部２５０と、撮像部２６０とを備えている。スマートフォン２００は、通信インターフェース部１５０と通信インターフェース部２５０とを使用し、案内地図出力装置１００と近距離無線通信で接続される。近距離無線通信は、本実施形態では、ＢＬＵＥＴＯＯＴＨ（登録商標）のＣＬＡＳＳ１を使用している。ＢＬＵＥＴＯＯＴＨ（登録商標）のＣＬＡＳＳ１は、出力１００ｍＷの通信であり、案内地図出力装置１００とスマートフォン２００との間の距離が１００ｍ以内程度での通信が可能な近距離無線通信である。
【００１６】
案内地図出力装置１００の操作表示部１３０及びスマートフォン２００の操作表示部２３０は、タッチパネルとして機能し、様々なメニューを入力画面として表示し、ユーザーの操作入力を受け付ける。操作表示部１３０は、タッチパネルとして機能するディスプレイ１３１や操作ボタン１３２やスイッチ（図示せず）からユーザーの操作入力を受け付ける。
【００１７】
制御部１１０，２１０は、ＲＡＭやＲＯＭ等の主記憶手段、及びＭＰＵ（Ｍｉｃｒｏ  Ｐｒｏｃｅｓｓｉｎｇ  Ｕｎｉｔ）やＣＰＵ（Ｃｅｎｔｒａｌ  Ｐｒｏｃｅｓｓｉｎｇ  Ｕｎｉｔ）等の制御手段を備えている。また、制御部１１０は、各種Ｉ／Ｏ、ＵＳＢ（ユニバーサル・シリアル・バス）、バス、その他ハードウェア等のインターフェースに関連するコントローラ機能を備えている。制御部１１０，２１０は、それぞれ案内地図出力装置１００及びスマートフォン２００の全体を制御する。
【００１８】
記憶部１４０，２４０は、非一時的な記録媒体であるハードディスクドライブやフラッシュメモリー等からなる記憶装置で、それぞれ制御部１１０，２１０が実行する処理の制御プログラムやデータを記憶する。記憶部１４０には、地域情報データベース１４１と、広告データベース１４２とが記憶されている。
【００１９】
ビーコン送信機３００は、本実施形態では、案内地図出力装置１００の外部に設置されている。本実施形態では、一例としてｉＢｅａｃｏｎ（登録商標）を使用している。ビーコン送信機３００の管理は、案内地図出力装置１００の通信インターフェース部１５０とビーコン送信機３００との間の双方向通信で行われる。これにより、案内地図出力装置１００は、ビーコン送信機３００の正常な作動を確認することができる。一方、ビーコン送信機３００は、０．１秒ごとに非同期で各ビーコンのブロードキャスト送信を行う。ブロードキャスト送信は、不特定多数に同じ情報を同時に送る一方通行の送信方法である。
【００２０】
図２は、一実施形態に係る地図出力処理手順を示すフローチャートである。地図出力処理は、予め案内地図出力装置１００等からスマートフォン２００に所定のアプリケーションプログラムをダウンロードし、スマートフォン２００にインストール済みであることを前提とする。さらに、スマートフォン２００には、ログイン名やパスワード、決済情報といった情報等が登録されてアカウントが登録されているものとする。
【００２１】
ステップＳ１１０では、スマートフォン２００は、例えば、駅の改札口の外でビーコンを検知する。具体的には、スマートフォン２００は、駅の改札口の近傍に設置されているビーコン送信機３００からのブロードキャスト送信によるビーコンを受信する。スマートフォン２００は、ビーコンの受信に応じて案内地図出力装置１００にアクセスを求める。
【００２２】
図３は、一実施形態に係る地図出力処理におけるスマートフォン２００の操作表示部２３０を示す説明図である。ステップＳ１２０では、スマートフォン２００は、プッシュ通知によって一実施形態に係る地図出力処理が利用可能であることを操作表示部２３０に表示する。
【００２３】
操作表示部２３０は、案内地図出力装置１００の位置を表示するガイダンス画面２３１と、ログイン画面２３２とを表示している。具体的には、ガイダンス画面２３１は、案内地図出力装置１００が設置されている駅の案内所やコンビニエンスストアまでの案内地図を表示するようにしてもよい。ログイン画面２３２は、案内地図出力装置１００に近づいてから表示されるようにしてもよい。
【００２４】
ステップＳ１３０では、ユーザーは、案内地図出力装置１００にログインするか否かを判断する。ログインしない場合には、ユーザーは、「閉じる」アイコン２３２Ｎをタッチして地図出力処理を終了し、ログインする場合には、「案内地図出力装置にログイン」するためのアイコン２３２Ｙをタッチして処理をステップＳ１４０に進める。ログインのための認証は、制御部１１０によって認証情報を使用して行われる。
【００２５】
図４は、一実施形態に係る案内地図出力システム１０によって出力された案内地図の一例を示す説明図である。ステップＳ１４０では、ユーザーは、目的地設定処理を実行する。目的地設定処理は、スマートフォン２００の操作表示部２３０や案内地図出力装置１００の操作表示部１３０を操作して目的地を設定する処理である。
【００２６】
この例では、ユーザーは、Ａ駅の案内所に設置されている案内地図出力装置１００において、博物館Ｄを目的地として設定したものとする。案内地図Ｍでは、出発地がＡ駅に設定され、目的地が博物館Ｄに設定されているので、Ａ駅から博物館Ｄまでの案内経路を表す案内線Ｇが表示されている。本実施形態では、制御部１１０は、案内経路設定部として機能し、出発地と目的地とを受付け、受付けた出発地から目的地までの最短経路として案内線Ｇを設定する。出発地と目的地の受付は、操作表示部１３０，２３０を使用して行われる。案内地図出力装置１００は、案内線Ｇが出発地から目的地までの全体が表示可能な範囲で詳細な縮尺を、縮尺の初期値として案内地図Ｍのための画像を形成する。
【００２７】
案内地図Ｍには、案内線Ｇの経路の近傍のスポットに関するテキスト情報（案内コメントとも呼ばれる。）がバルーンＢ１〜Ｂ６を使用して表示されている。テキスト情報は、案内コメント抽出部として機能する制御部１１０によって、地域情報データベース１４１から抽出されたものである。テキスト情報は、案内経路から予め設定された範囲内（たとえば徒歩５分以内）の特定の領域であるスポットに紐付けられたものとして抽出される。
【００２８】
案内線Ｇの経路の出発地点の近傍では、バルーンＢ１において、水族館が閉館していることを示している。バルーンＢ２は、三叉路Ｃにおいて最短経路を外れて、左側に曲がると、通りに林立している４つの寺院Ａ〜Ｄが見えることを示している。一方、バルーンＢ３は、最短経路に沿って進むと、無料ＷＩＦＩが利用可能なレストランＲの近くを通ることを示している。バルーンＢ５は、レストランＲが高台にあって海が見えることも示している。
【００２９】
バルーンＢ４は、三叉路Ｃにおいて寺院側のルートを採用した場合には、途中で右折することによって、「気持ちいい並木道」を通ることができることを示している。これにより、ユーザーは、気持ちいい並木道を通ってレストランＲの近くに到達できることも分かる。バルーンＢ６は、博物館Ｄに向かう海岸通りから海がよく見えることを示している。案内地図Ｍの下部には、この地域の商店やレストランといった商業施設が有料で掲載している広告が表示される領域である広告領域Ａが配置されている。広告領域Ａには、広告データベース１４２に登録されているデータを使用して広告が掲載される。
【００３０】
案内コメントとして挿入されているバルーンＢ１〜Ｂ６は、コメント挿入部として機能する制御部１１０によって、案内線Ｇに重ならないように挿入して表示される。具体的には、たとえばバルーンの数が多くなった場合や狭い範囲に複数のスポットがある場合には、バルーンの足Ｆを長くして案内線Ｇから離れた領域を利用してバルーンを表示することができる。バルーンは、案内地図出力装置１００の操作表示部１３０やスマートフォン２００の操作表示部２３０でタッチすることによって表示を消すこともできる。
【００３１】
これにより、ユーザーは、自分に有益な情報のみをバルーンとして残すことができる。さらに、ユーザーは、操作表示部１３０や操作表示部２３０でバルーンをドラッグして移動させて案内地図Ｍを見やすくすることもできる。
【００３２】
ステップＳ１５０では、ユーザーは、地図出力処理を実行する。地図出力処理は、スタートボタン（図示略）を押下して案内地図Ｍを印刷して出力する処理である。ユーザーは、広告領域Ａを排除して、出力用紙（たとえばＡ４）の全体を案内地図とすることもできる。
【００３３】
ステップＳ１６０では、案内地図出力装置１００の制御部１１０は、課金処理を実行する。課金処理では、広告を含む印刷では、ユーザーは無料で、広告代理店に対して課金されることになる。ただし、ユーザーが広告領域Ａを排除して出力すると、案内地図の印刷費用は、ユーザーに対して課金されることになる。
【００３４】
図５は、一実施形態に係る地図データ準備処理手順を示すフローチャートである。ステップＳ２１０では、ユーザーは、動画取得処理を実行する。動画取得処理では、ユーザーは、自己のスマートフォン２００やビデオカメラ（図示せず）で撮影した動画、あるいは動画データベース５００にアップロードされているテレビ番組の紹介映像や地域のＰＲ動画の中から特定の地域を紹介する動画を取得する。
【００３５】
ステップＳ２２０では、ユーザーは、キーワード取得処理を実行する。キーワード取得処理では、ユーザーは、スマートフォン２００から撮影した動画等を案内地図出力装置１００に送信し、案内地図出力装置１００においてコメント生成支援部として機能する制御部１１０で自動的に生成されたキーワード集をスマートフォン２００で受信する。案内地図出力装置１００は、動画内の画像や音声を使用して複数のキーワードを自動的に生成し、ユーザーによる案内コメントの生成を支援する。
【００３６】
なお、インターネットＮ上の動画を使用する場合には、ユーザーは、そのＵＲＬを案内地図出力装置１００に送信する。案内地図出力装置１００は、ＵＲＬを使用して動画を取得し、その動画内の画像や音声を使用して複数のキーワードを自動的に生成する。また、上述の所定のアプリケーションを使用して、これらの処理をスマートフォン２００側で行うようにしてもよい。
【００３７】
ステップＳ２３０では、ユーザーは、コメント生成処理を実行する。コメント生成処理では、ユーザーは、スマートフォン２００で受信したキーワード集の中から選択し、あるいはキーワード集を使用して案内コメントを生成する。ユーザーは、キーワード集の取得プロセスをスキップして自分で案内コメントを生成することもできる。
【００３８】
具体例として、あるユーザーがバルーンＢ４の案内コメントを付加する例を想定する。このユーザーは、バルーンＢ４が含まれていない案内地図を利用し、バルーンＢ２の案内コメント（林立している寺院）にしたがって寺院Ｃに到達したものとする。ユーザーは、道路の右側に並木道を見つけて右折した。並木道がとても気持ちよかったので、スマートフォン２００の撮像部２６０を使用して動画を撮影しつつ、「とても気持ちいい並木道です。」という音声コメントを録音した。ユーザーは、コメント生成処理において、「とても気持ちいい並木道」という案内コメントを生成し、上述の所定のアプリケーションを利用してスマートフォン２００で登録した。スマートフォン２００は、動画データにＧＰＳ情報のメタデータを付加して、記憶部２４０に記憶する。
【００３９】
なお、案内コメントは、動画を利用して自動的に生成してもよいし、動画以外の情報を利用して生成してもよい。案内コメントの生成の支援は、広い意味を有し、自動的に生成することも含んでいる。
【００４０】
ステップＳ２４０では、ユーザーは、案内コメントを公開するか否かを設定する。すなわち、ユーザーは、生成した案内コメントを自分の旅の思い出としてのみ利用するか、あるいは第三者に対する情報提供を許容するか否かを決定する。公開する場合には、処理がステップＳ２５０に進められ、非公開とする場合には、処理がステップＳ２６０に進められる。
【００４１】
ステップＳ２５０では、スマートフォン２００は、案内コメントとＧＰＳ情報とを案内地図出力装置１００に送信する。案内地図出力装置１００は、受信した案内コメントとＧＰＳ情報とを地域情報データベース１４１に登録する。案内コメントは、ＧＰＳ情報を使用してスポットと紐付けられる。これにより、第三者は、バルーンＢ４の案内コメントを利用可能となる。
【００４２】
なお、ＧＰＳ情報が取得できなかった場合には、ユーザーは、案内コメントが選択されている状態において、操作表示部１３０や操作表示部２３０でスポットをタッチする。これにより、案内コメントとスポットと紐付けることができる。
【００４３】
ステップＳ２６０では、ユーザーは、案内地図出力装置１００において出力処理を実行する。出力処理は、ユーザーが生成した案内コメントを含む案内地図を出力する。この案内地図には、ユーザーが生成した案内コメントが含まれているので、旅行の記録となるとともに、記念品として持ち帰ることができる。
【００４４】
案内コメントは、地域情報データベース１４１に登録されると、第三者によって利用可能となる。広告代理店は、第三者による利用（たとえば出力処理（ステップＳ１５０）で使用される毎に、案内コメントを登録したユーザーに対して報奨金を支払う。報奨金の支払は、スマートフォン２００の登録アカウントを使用して行われる。
【００４５】
これにより、案内コメントの公開の動機付けとなる。非公開とする場合には、案内地図出力装置１００は、スマートフォン２００から案内コメントとＧＰＳ情報とを取得して、ユーザーが生成した案内コメントを含む案内地図を出力し、その後、案内コメントとＧＰＳ情報とを消去する。
【００４６】
このように、一実施形態に係る案内地図出力装置１００によれば、旅先において動画の撮影行為の一部として、そのスポットの案内コメントを生成することができる。さらに、案内地図出力装置１００は、案内コメントを広く第三者に提供することを可能とし、利便性を高めている。加えて、案内地図出力装置１００は、広告代理店との連携を容易化して、地域での商業サービスの提供者と旅行者の双方にとって有益なサービスを提供することができる。
【００４７】
Ｃ．変形例：
本発明は、上記各実施形態だけでなく、以下のような変形例でも実施することができる。
【００４８】
変形例１：上記実施形態では、案内コメントは、複数のカテゴリに分類されることなく使用されているが、地域情報データベース１４１に登録する際に、複数のカテゴリに分類するようにしてもよい。
【００４９】
具体的には、たとえばその地域のサービス提供者による有料での広告としての案内コメント、無料ＷＩＦＩのフリースポットや携帯端末の通信用のローミングサービスに関する情報（料金体系他）といった通信環境情報についての案内コメント、鉄道やバスのタイムテーブル（最終の時間や時間間隔）といった交通情報についての案内コメント、観光スポットに関する一般旅行者の感想としての案内コメントとを含む複数のカテゴリに分類して地域情報データベース１４１に登録するようにしてもよい。
【００５０】
さらに、たとえばユーザーが無料で案内地図出力装置１００を使用する場合には、広告としての案内コメントが優先的に提供されるように案内地図出力装置１００を構成してもよい。優先的な提供とは、たとえば多数の案内コメントが表示される場合において、スポットの近くへの表示や部分的に重ねて表示するときの前面側への表示を意味する。
【００５１】
変形例２：上記実施形態では、案内地図出力装置は、出発地から目的地までの案内線の全体を表示可能な範囲で詳細な縮尺を初期値としているが、このような方法に限られず縮尺を自動設定してもよい。具体的には、たとえば無料ＷｉＦｉスポットの利用可能性に基づいて、無料ＷｉＦｉスポットが利用可能な地域では、比較的に広域の案内地図（大まかな地図）を設定し、無料ＷｉＦｉスポットが利用可能でない地域では、比較的に詳細な案内地図を設定するようにしてもよい。こうすれば、現地で無料ＷｉＦｉスポットを利用して地図を取得できる地域では、大まかな地図で対応し、現地で地図の取得が困難な地域では、たとえば複数（あるいは大判）の詳細の案内地図が利用可能となる。
【００５２】
変形例３：上記実施形態では、ユーザー情報を利用することなく、案内地図を構成しているが、たとえばユーザー情報として、ユーザーの使用言語を取得し、ユーザーの使用言語を使用する案内地図を構成するようにしてもよい。
【００５３】
変形例４：上記実施形態では、案内コメントは、案内地図出力装置が有する記憶部に記憶されている地域情報データベースに登録されているが、複数の案内地図出力装置の間で地域情報データベースに相互にアクセス可能として共有してもよいし、案内コメントのリストを共有するようにしてもよい。さらに、地域情報データベースは、サーバに記憶して複数の案内地図出力装置で共有するようにしてもよい。
【００５４】
変形例５：上記実施形態において、案内地図出力装置は、各案内コメントの利用履歴を記録するようにしてもよい。利用履歴は、印刷出力の際に利用された案内コメントの利用について記録し、利用頻度が高いものを優先的に提案するようにしてもよい。
【００５５】
変形例６：上記実施形態では、スマートフォンが使用されているが、本発明は、無線通信が可能であればノートＰＣやタブレットといった携帯端末に適用可能である。なお、無線通信には、赤外線等による通信も含まれる。さらに、携帯端末は、旅行前の下準備でも利用できるように、遠隔地からのインターネット経由で案内地図出力装置に接続できるように構成してもよい。
【符号の説明】
【００５６】
１０  案内地図出力システム
１００  案内地図出力装置
１１０  制御部
１２０  画像形成部
１３０  操作表示部
１４０  記憶部
１５０，２５０  通信インターフェース部
２００  スマートフォン
２１０  制御部
２３０  操作表示部
２４０  記憶部
３００  ビーコン送信機
【図１】
2018141836.tif 000003
【図２】
2018141836.tif 000004
【図３】
2018141836.tif 000005
【図４】
2018141836.tif 000006
【図５】
2018141836.tif 000007